【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
伝送電極および受信電極を備える少なくとも１つの容量センサを用いて、容量センサ検出を提供するための方法であって、前記方法は、
刺激を前記伝送電極において発生させることと、
信号を前記受信電極から受信し、複数のデータパケットを発生させることであって、各データパケットは、データパケットの開始時間と停止時間との間に発生させられる複数のサンプルを含む、ことと、
各データパケットの開始および終了において、各データパケットの中心に対して少ない利得を提供することによって、前記複数のサンプルに加重することと、
前記加重されたサンプルを積分し、パケット毎に単一の出力値を発生させることと
を含む、方法。
【請求項２】
前記刺激は、パルスのシーケンスを含む、請求項１に記載の方法。
【請求項３】
各パルスは、接地と供給電圧との間で交互する、請求項２に記載の方法。
【請求項４】
行および列の行列で配列される複数の伝送電極および複数の受信電極を備える複数の容量センサを含み、データパケットは、刺激が前記伝送電極のうちの１つに適用される間、受信電極毎に交互方式で連続的に発生させられる、請求項１〜３のいずれか１項に記載の方法。
【請求項５】
利得分布は、各データパケットの中心に対して対称であって、利得分布曲線は、ガウス曲線、ハミング窓、ハニング窓、およびブラックマン窓から成る利得曲線の群から選択される、請求項１〜４のいずれか１項に記載の方法。
【請求項６】
列および行で配列される複数の伝送電極および複数の受信電極を備え、加重は、利得を列または行から受信されたアナログ信号に適用することによって行われる、請求項１〜５のいずれか１項に記載の方法。
【請求項７】
加重は、各データパケットの後処理の際、利得をデジタル信号に適用することよって行われる、請求項１〜６のいずれか１項に記載の方法。
【請求項８】
前記容量センサは、タッチセンサである、請求項１〜７のいずれか１項に記載の方法。
【請求項９】
複数の受信電極および複数の伝送電極を備える複数のタッチセンサが、列および行を含む行列で配列され、サンプルの各データパケットは、刺激が前記伝送電極のうちの１つに適用される間、各列または行から並行してサンプリングされる、請求項８に記載の方法。
【請求項１０】
複数のタッチセンサが、列および行を含む行列で配列され、異なる列／行のサンプルのパケットは、多重化を使用して連続してサンプリングされる、請求項８に記載の方法。
【請求項１１】
複数のタッチセンサが、行列で配列される水平および垂直電極によって形成される、請求項８に記載の方法。
【請求項１２】
複数のタッチセンサが、行列で配列され、前記行列の水平および垂直電極は、異なる層内に配列される、請求項８に記載の方法。
【請求項１３】
４つの受信電極が、前記伝送電極と関連付けられ、３次元位置検出センサを形成する、請求項１〜１２のいずれか１項に記載の方法。
【請求項１４】
前記４つの受信電極は、フレーム状方式で配列される、請求項１３に記載の方法。
【請求項１５】
前記４つの受信電極は、ディスプレイまたはタッチパッドセンサを囲繞する、請求項１３または請求項１４に記載の方法。
【請求項１６】
少なくとも１つの容量センサを伴うセンサ装置であって、前記センサ装置は、
刺激を受信するように構成される伝送電極と、
前記伝送電極と容量結合され、信号を前記伝送電極から受信するように構成される受信電極と、
前記受信電極と結合され、複数のデータパケットを発生させるように構成される評価回路であって、各パケットは、データパケットの開始時間と停止時間との間に発生させられる複数のサンプルを含み、前記複数のサンプルは、各パケットの開始および終了において、各パケットの中心に対してより少ない利得を提供することによって加重され、前記評価回路は、前記加重されたサンプルを積分し、パケット毎に出力信号を発生させるようにさらに構成される、評価回路と
を備える、センサ装置。
【請求項１７】
前記刺激は、パルスのシーケンスを含む、請求項１６に記載のセンサ装置。
【請求項１８】
各パルスは、接地と供給電圧との間で交互する、請求項１７に記載のセンサ装置。
【請求項１９】
行および列の行列で配列される複数の伝送電極および複数の受信電極を備える複数の容量センサを含み、前記センサ装置は、刺激が前記伝送電極のうちの１つに適用される間、受信電極毎にデータパケットを交互方式で連続的に発生させるように構成される、請求項１６〜１８のいずれか１項に記載のセンサ装置。
【請求項２０】
利得分布は、各データパケットの中心に対して対称であり、利得分布曲線は、ガウス曲線、ハミング窓、ハニング窓、およびブラックマン窓から成る利得曲線の群から選択される、請求項１６〜１９のいずれか１項に記載のセンサ装置。
【請求項２１】
利得は、前記受信電極から受信されたアナログ信号に適用される、請求項１６〜２０のいずれか１項に記載のセンサ装置。
【請求項２２】
利得は、各データパケットの後処理の際、デジタル信号に適用される、請求項１６〜２１のいずれか１項に記載のセンサ装置。
【請求項２３】
複数の伝送電極および複数の受信電極を備える複数のタッチセンサが、列および行を含む行列で配列され、サンプルのデータパケットは、刺激が前記伝送電極のうちの１つに適用される間、各列または行から並行してサンプリングされる、請求項１６〜２２のいずれか１項に記載のセンサ装置。
【請求項２４】
前記容量センサは、タッチセンサである、請求項１６〜２３のいずれか１項に記載のセンサ装置。
【請求項２５】
複数のタッチセンサが、列および行を含む行列で配列され、異なる列／行のサンプルのパケットは、多重化を使用して連続してサンプリングされる、請求項２４に記載のセンサ装置。
【請求項２６】
複数のタッチセンサが、行列で配列される水平および垂直電極によって形成される、請求項２４に記載のセンサ装置。
【請求項２７】
複数のタッチセンサが、行列で配列され、前記行列の水平および垂直電極は、異なる層内に配列される、請求項２４に記載のセンサ装置。
【請求項２８】
４つの受信電極が、前記伝送電極と関連付けられ、３次元位置検出センサを形成する、請求項１６〜２７のいずれか１項に記載のセンサ装置。
【請求項２９】
前記４つの受信電極は、フレーム状方式で配列される、請求項２８に記載のセンサ装置。
【請求項３０】
前記４つの受信電極は、ディスプレイまたはタッチパッドセンサを囲繞する、請求項２８または請求項２９に記載のセンサ装置。
【手続補正２】
【補正対象書類名】明細書
【補正対象項目名】０００８
【補正方法】変更
【補正の内容】
【０００８】
センサ装置のさらなる実施形態によると、刺激のパケットは、パルスのシーケンスを含んでいてもよい。センサ装置のさらなる実施形態によると、各パルスは、接地と供給電圧との間で交互してもよい。センサ装置のさらなる実施形態によると、利得分布は、各パケットの中心に対して対称であることができ、利得分布曲線は、ガウス曲線、ハミング窓、ハニング窓、およびブラックマン窓から成る利得曲線の群から選択される。センサ装置のさらなる実施形態によると、利得は、受信電極から受信されたアナログ信号に適用されることができる。センサ装置のさらなる実施形態によると、利得は、各パケットの後処理の際、デジタル信号に適用されることができる。センサ装置のさらなる実施形態によると、複数のタッチセンサが、列および行を含む行列で配列されることができ、サンプルのパケットは、各列または行から並行してサンプリングされる。センサ装置のさらなる実施形態によると、容量センサは、タッチセンサであることができる。センサ装置のさらなる実施形態によると、複数のタッチセンサが、列および行を含む行列で配列されることができ、異なる列／行のサンプルのパケットは、多重化を使用して連続してサンプリングされる。センサ装置のさらなる実施形態によると、複数のタッチセンサが、行列で配列される水平および垂直電極によって形成されることができる。センサ装置のさらなる実施形態によると、センサ装置は、行列で配列される複数のタッチセンサを含んでいてもよく、行列の水平および垂直電極は、異なる層内に配列される。センサ装置のさらなる実施形態によると、４つの受信電極が、伝送電極と関連付けられ、３次元位置検出センサを形成することができる。センサ装置のさらなる実施形態によると、４つの受信電極は、フレーム状方式で配列されることができる。センサ装置のさらなる実施形態によると、４つの受信電極は、ディスプレイまたはタッチパッドセンサを囲繞してもよい。
本発明は、例えば、以下を提供する。
（項目１）
伝送電極および受信電極を備える少なくとも１つの容量センサを用いて、容量センサ検出を提供するための方法であって、前記方法は、
刺激を前記伝送電極において発生させるステップと、
信号を前記受信電極から受信し、データパケットを発生させるステップであって、各パケットは、複数のサンプルを含む、ステップと、
各パケットの開始および終了において、各パケットの中心と比較して少ない利得を提供することによって、前記複数のサンプルに加重するステップと、
前記加重されたサンプルを積分し、パケット毎に出力信号を発生させるステップと、
を含む、方法。
（項目２）
刺激は、パルスのシーケンスを含む、項目１に記載の方法。
（項目３）
各パルスは、接地と供給電圧との間で交互する、項目２に記載の方法。
（項目４）
利得分布は、各パケットの中心に対して対称であって、利得分布曲線は、ガウス曲線、ハミング窓、ハニング窓、およびブラックマン窓から成る利得曲線の群から選択される、前記項目のいずれか１項に記載の方法。
（項目５）
加重は、利得を列または行から受信されたアナログ信号に適用することによって行われる、前記項目のいずれか１項に記載の方法。
（項目６）
加重は、各パケットの後処理の際、利得を前記デジタル信号に適用することよって行われる、前記項目のいずれか１項に記載の方法。
（項目７）
前記容量センサは、タッチセンサである、前記項目のいずれか１項に記載の方法。
（項目８）
複数のタッチセンサが、列および行を含む行列で配列され、サンプルのパケットは、各列または行から並行してサンプリングされる、項目７に記載の方法。
（項目９）
複数のタッチセンサが、列および行を含む行列で配列され、異なる列／行のサンプルのパケットは、多重化を使用して連続してサンプリングされる、項目７に記載の方法。
（項目１０）
複数のタッチセンサが、行列で配列される水平および垂直電極によって形成される、項目７に記載の方法。
（項目１１）
複数のタッチセンサが、行列で配列され、前記行列の水平および垂直電極は、異なる層内に配列される、項目７に記載の方法。
（項目１２）
４つの受信電極が、前記伝送電極と関連付けられ、３次元位置検出センサを形成する、前記項目のいずれか１項に記載の方法。
（項目１３）
前記４つの受信電極は、フレーム状方式で配列される、項目１２に記載の方法。
（項目１４）
前記４つの受信電極は、ディスプレイまたはタッチパッドセンサを囲繞する、項目１２または１３に記載の方法。
（項目１５）
少なくとも１つの容量センサを伴うセンサ装置であって、
刺激を受信するように構成される、伝送電極と、
前記伝送電極と容量結合され、信号を前記伝送電極から受信するように構成される、受信電極と、
前記受信電極と結合され、データパケットを発生させるように構成される、評価回路であって、各パケットは、複数のサンプルを含み、前記複数のサンプルは、各パケットの開始および終了において、各パケットの中心と比較してより少ない利得を提供することによって加重され、前記評価回路はさらに、前記加重されたサンプルを積分し、パケット毎に出力信号を発生させるように構成される、評価回路と、
を備える、センサ装置。
（項目１６）
前記刺激のパケットは、パルスのシーケンスを含む、項目１５に記載のセンサ装置。
（項目１７）
各パルスは、接地と供給電圧との間で交互する、項目１６に記載のセンサ装置。
（項目１８）
利得分布は、各パケットの中心に対して対称であり、利得分布曲線は、ガウス曲線、ハミング窓、ハニング窓、およびブラックマン窓から成る利得曲線の群から選択される、項目１５−１７のいずれか１項に記載のセンサ装置。
（項目１９）
利得は、前記受信電極から受信されたアナログ信号に適用される、項目１５−１８のいずれか１項に記載のセンサ装置。
（項目２０）
利得は、各パケットの後処理の際、前記デジタル信号に適用される、項目１５−１９のいずれか１項に記載のセンサ装置。
（項目２１）
複数のタッチセンサが、列および行を含む行列で配列され、サンプルのパケットは、各列または行から並行してサンプリングされる、項目１５−２０のいずれか１項に記載のセンサ装置。
（項目２２）
前記容量センサは、タッチセンサである、項目１５−２１のいずれか１項に記載のセンサ装置。
（項目２３）
複数のタッチセンサが、列および行を含む行列で配列され、異なる列／行のサンプルのパケットは、多重化を使用して連続してサンプリングされる、項目２２に記載のセンサ装置。
（項目２４）
複数のタッチセンサが、行列で配列される水平および垂直電極によって形成される、項目２２に記載のセンサ装置。
（項目２５）
複数のタッチセンサが、行列で配列され、前記行列の水平および垂直電極は、異なる層内に配列される、項目２２に記載のセンサ装置。
（項目２６）
４つの受信電極が、前記伝送電極と関連付けられ、３次元位置検出センサを形成する、項目１５−２５のいずれか１項に記載のセンサ装置。
（項目２７）
前記４つの受信電極は、フレーム状方式で配列される、項目２６に記載のセンサ装置。
（項目２８）
前記４つの受信電極は、ディスプレイまたはタッチパッドセンサを囲繞する、項目２６または項目２７に記載のセンサ装置。